(57)【要約】      （修正有）【課題】封印シール及びこれを破断するための保護カバー部材の両方を破壊しなければ開放できないようにした基板ケースを提供する。【解決手段】ケース封印部１００は、主基板ケースを閉止状態にするために、ケース本体部材に対してケース蓋部材をケース閉止方向に相対移動させて本体側封印部１１０と蓋側封印部１４０とを近接対向させたときに、本体側封印部１１０に仮止めされていた保護カバー部材１３０が蓋側封印部１４０に係合連結し、主基板ケースを閉止状態から開放するために、ケース本体部材に対してケース蓋部材をケース開放方向に相対移動させて本体側封印部１１０と蓋側封印部１４０とを離間させるときに、保護カバー部材１３０が蓋側封印部１４０との係合状態を維持しながら封印シールに当接してこれを破断するとともに、保護カバー部材１３０自体も蓋側封印部１１０に接触して破壊される。【選択図】図１７
2014208034.tif 000002
【特許請求の範囲】
【請求項１】
第１ケース部材及び前記第１ケース部材に対して開閉可能に装着される第２ケース部材
を備えて構成され、閉止状態で形成されるケース内部に制御基板を収容する基板ケースに
おいて、
前記第１ケース部材及び前記第２ケース部材のいずれか一方のケース部材に形成された
封印シール貼着部に貼着される封印シールと、
前記一方のケース部材にスライド動作により取り外し可能に配設される保護カバー部材
とを備え、
前記封印シール貼着部は、台座部と、少なくとも前記台座部の上面領域を含んで形成さ
れ前記封印シールを貼着するためのシール貼着面と、前記台座部に凹設され前記封印シー
ルを前記上面側に跨らせてなるスリットと、前記スリットの一方の端縁側に凹設された退
避部と、ガイド溝とを有し、
前記保護カバー部材は、突出形成されて前記ガイド溝に受容されるガイド壁と、突出形
成されたシール破断部と、前記スライド方向から見て前記台座部と重なるリブとを有し、
前記シール破断部は、前記保護カバー部材が前記一方のケース部材に取り付けられた際
に、前記退避部に受容される破断突起であることを特徴とする基板ケース。
【発明の詳細な説明】
【技術分野】
【０００１】
本発明は、基板ケースに関する。
【背景技術】
【０００２】
パチンコ機やスロットマシン等の遊技機では、この遊技機の作動を制御する制御基板が
設けられている。例えば、パチンコ機では、外枠に対して開閉可能に組み付けられた前枠
裏側の収容枠に遊技盤等が装備され、この遊技盤の裏面側に制御基板が取り付けられてい
る。スロットマシンにおいても同様に、フロントマスクの裏面側やキャビネットの内側に
制御基板が取り付けられている。これらの制御基板は、賞球もしくはメダルの払出制御、
電動役物の開閉制御、リールの回転制御、図柄組み合わせの発生確率制御等、パチンコ機
もしくはスロットマシンの作動を制御する基板であり、遊技機の制御ソフトウェアが記録
されたＲＯＭが搭載され、この遊技機の作動を制御する中枢制御装置としての役割を有し
ている（例えば、特許文献１を参照）。
【０００３】
このような中枢制御装置としての役割を担う制御基板は偽造ＲＯＭへの差し替え等の不
正改造対策として、ともに透明な樹脂材料を用いて形成されたケース本体部材とその前方
に開閉可能に装着されるケース蓋部材とからなる基板ケース内に収容され、ケース本体部
材に対してケース蓋部材を閉止状態で装着したときに、ケース本体部材の側に形成した係
合部とケース蓋部材の側に形成した係合部とが係合連結して基板ケースを閉止状態にロッ
クし、ケース蓋部材（もしくはケース本体部材）とその係合部との間を繋ぐ連結部をニッ
パ等の工具を用いて切り離さない限り基板ケースを開放不能にする不正開放防止機構（所
謂、カシメ構造）が設けられている（例えば、特許文献２を参照）。
【０００４】
また、遊技機の固有情報や、制御基板の識別情報等を記憶させた無線読み取り可能なＩ
Ｃタグを有した封印シールをケース本体部材およびケース蓋部材の境界を跨ぐように貼着
してこれを外方からカバー部材で包囲し、基板ケースを内部において封印することも知ら
れている（例えば、特許文献３を参照）。このように封印シールを用いると、制御基板を
基板ケース内に入れてカシメ構造により閉止保持するだけでなく、基板ケースを開放する
ために封印シールを剥がそうとすると当該封印シールが破壊され、目視によりその破断箇
所の確認が出来るとともに、リーダ等によって情報を読み取ることが出来なくなるので、
基板ケースに対する不正なアクセスがあった場合の痕跡を残すことができ、より確実な不
正開放対策が可能となる。
【０００５】
このように封印シールは、不正開放対策及び種々の情報の記憶・読み取り機能という便
利な機能を有するのであるが、これが巧妙化した手口により不正に剥がされて（例えば、
剥離剤を用いて剥がされて）再使用されると基板ケースそのものを交換するような不正改
造を却って発見しにくくなる。そのため、ケース境界部に貼着された封印シールを外方か
ら包囲するカバー部材にシール破断機構としての機能を持たせ、基板ケースを開放する際
に、カバー部材を外した時点でＩＣタグ封印シールが復旧不能な程度に破断される構成が
提案されている（例えば、特許文献４を参照）。
【先行技術文献】
【特許文献】
【０００６】
【特許文献１】特開２００９−１８３７８８号公報
【特許文献２】特開２００４−６５２８０号公報
【特許文献３】特開２００９−２６１６４０号公報
【特許文献４】特開２０１０−１７８９０３号公報
【発明の概要】
【発明が解決しようとする課題】
【０００７】
ところで、基板ケースが不正開放された場合に、例えば、前述した基板ケースのカシメ
構造が破壊され、ケース本体部材及びケース蓋部材に破壊された痕跡が残存して再使用で
きない状態となっても、シール破断用のカバー部材が無傷の状態で再使用可能であると、
封印シールさえ真正品と外観上そっくりにコピーした偽造品にすり替えてしまえば、この
カバー部材と、同一機種の他の基板ケースから取り出した無傷の状態のケース本体部材及
びケース蓋部材とを組み合わせることで、新たな基板ケースを作り上げる、いわゆる２個
１（ニコイチ）と称されるような不正な組立行為によって、外観上は開封前と略同様の状
態に復元されてしまう。これにより、不正に改造された制御基板を基板ケースごと取り替
えたとしても、偽造された封印シールに対してリーダ等による情報の読み取り検査等が行
われない限りにおいては、目視では不正行為の有無を判別できず、不正行為の発見が遅延
するという課題があった。そのため、基板ケースを開放するときに、封印シール及びカバ
ー部材を再使用不能な程度に破壊するような構成、すなわち、封印シール及びこれを破断
するためのカバー部材の両者を破壊しなければ基板ケースを開放することができないよう
な構造が望まれる。
【０００８】
本発明は、このような課題に鑑みてなされたものであり、封印シール及びこれを破断す
るための保護カバー部材の両方を破壊しなければ開放できないようにした基板ケースを提
供することを目的とする。
【課題を解決するための手段】
【０００９】
このような目的達成のために、本発明に係る基板ケースは、第１ケース部材及び前記第
１ケース部材に対して開閉可能に装着される第２ケース部材を備えて構成され、閉止状態
で形成されるケース内部に制御基板を収容する基板ケースにおいて、前記第１ケース部材
及び前記第２ケース部材のいずれか一方のケース部材に形成された封印シール貼着部に貼
着される封印シールと、前記一方のケース部材にスライド動作により取り外し可能に配設
される保護カバー部材とを備え、前記封印シール貼着部は、台座部と、少なくとも前記台
座部の上面領域を含んで形成され前記封印シールを貼着するためのシール貼着面と、前記
台座部に凹設され前記封印シールを前記上面側に跨らせてなるスリットと、前記スリット
の一方の端縁側に凹設された退避部と、ガイド溝とを有し、前記保護カバー部材は、突出
形成されて前記ガイド溝に受容されるガイド壁と、突出形成されたシール破断部と、前記
スライド方向から見て前記台座部と重なるリブとを有し、前記シール破断部は、前記保護
カバー部材が前記一方のケース部材に取り付けられた際に、前記退避部に受容される破断
突起であることを特徴とする。
【００１０】
また、遊技機は、上記構成の基板ケースと、この基板ケースを着脱自在に保持する遊技
機本体とを備えて構成される。
【発明の効果】
【００１１】
本発明によれば、封印シール及びこれを破断するための保護カバー部材の両方を破壊し
なければ基板ケースを開放できない構造となるので、不正行為の予防および早期発見に寄
与することが可能である。
【図面の簡単な説明】
【００１２】
【図１】本発明に係る基板ケースを備えるパチンコ機の正面図である。
【図２】上記パチンコ機の背面図である。
【図３】上記パチンコ機に備えられる主制御基板ユニットを示す斜視図である。
【図４】上記主制御基板ユニットを示す分解斜視図である。
【図５】上記主制御基板ユニットの主基板ケースにおいて、ケース本体部材に対するケース蓋部材の取り付け状態を説明するための模式図である。
【図６】上記主基板ケースに設けられる不正開放防止機構を示す斜視図である。
【図７】不正開放防止機構におけるロック部材を示す斜視図である。
【図８】第１実施形態のケース封印部を取り出して示す分解斜視図である。
【図９】上記ケース封印部の本体側封印部及びこれに貼着される封印シールを示す斜視図である。
【図１０】封印シールを示す正面図である。
【図１１】ケース封印部の保護カバー部材を示す斜視図である。
【図１２】ケース封印部の蓋側封印部を示す斜視図である。
【図１３】保護カバー部材を本体側封印部に取り付ける前の状態を示す斜視図である。
【図１４】本体側封印部に対して蓋側封印部をスライド移動させている状態を示す斜視図である。
【図１５】図１４における矢印XIV−XIVに沿って示す断面図である。
【図１６】ケース封印部において封印シールを破断する過程を示し、（Ａ）は閉止状態のケース封印部を示す断面図、（Ｂ）は閉止状態から開放状態となる過程のケース封印部を示す断面図である。
【図１７】ケース封印部においてリブを破断する過程を示し、（Ａ）は閉止状態のケース封印部の断面図、（Ｂ）は閉止状態から開放状態となる過程のケース封印部を示す断面図である。
【図１８】上記ケース封印部の変形例を示す断面図である。
【図１９】第２実施形態のケース封印部を取り出して示す分解斜視図である。
【図２０】第２実施形態のケース封印部の本体側封印部及びこれに貼着される封印シールを示す斜視図である。
【図２１】第２実施形態のケース封印部の保護カバー部材を示す斜視図である。
【図２２】第２実施形態のケース封印部の蓋側封印部を示す斜視図である。
【図２３】第２実施形態の保護カバー部材を本体側封印部に取り付ける前の状態を示す斜視図である。
【図２４】第２実施形態の本体側封印部に対して蓋側封印部をスライド移動させている状態を示す斜視図である。
【図２５】第２実施形態のケース封印部において封印シール及び破断突起が破断される過程を示し、（Ａ）は閉止状態のケース封印部の断面図、（Ｂ）は閉止状態から開放状態となる過程のケース封印部の断面図である。
【図２６】第２実施形態のケース封印部の変形例を示す断面図である。
【発明を実施するための形態】
【００１３】
以下、本発明の好ましい実施形態について図面を参照して説明する。本発明に係る基板
ケースが適用される遊技機の代表例としてパチンコ機ＰＭの正面図および背面図を図１お
よび図２に示しており、先ずこの図を参照してパチンコ機ＰＭの全体構成について概要説
明する。
【００１４】
パチンコ機ＰＭは、図１に示すように、外郭方形枠サイズに構成されて縦向きの固定保
持枠をなす外枠１の開口前面に、これに合わせた方形枠サイズに構成されて開閉搭載枠を
なす前枠２が互いの正面左側縁部に配設された上下のヒンジ機構３ａ，３ｂにより横開き
開閉および着脱が可能に取り付けられ、正面右側縁部に設けられたダブル錠と称される施
錠装置４を利用して常には外枠１と係合連結された閉鎖状態に保持される。
【００１５】
前枠２の前面側には、前枠２の上部前面域に合わせた方形状のガラス扉５および球皿ユ
ニット６が正面左側部に設けられたヒンジ機構７ａ，７ｂ，７ｃを利用して横開き開閉お
よび着脱可能に組み付けられ、施錠装置４を利用して常には前枠２の前面を覆う閉鎖状態
に保持される。球皿ユニット６の正面右側下部には遊技球の発射操作を行う発射ハンドル
８が設けられている。ガラス扉５の背後に位置する前枠２の上部には、遊技盤１０を着脱
可能に収容する方形枠状の収容枠（図示しない）が設けられており、この収容枠に所定の
ゲージ設定で構成された遊技盤１０が着脱可能にセット保持され、常には閉鎖保持される
ガラス扉５を通して遊技盤１０の正面の遊技領域ＰＡを臨ませるようになっている。
【００１６】
図１では詳細な図示を省略しているが、遊技盤１０は、ルータ加工等を施した矩形状の
積層合板に、所定の図柄が印刷されたセルを貼り付けて成型される化粧板を基板とし、上
下のレール飾りに囲まれて略円形状の遊技領域ＰＡが形成される。遊技領域ＰＡには、多
数本の遊技釘、風車、中央飾り、遊技の進行状況に応じて所定の画像が表示される画像表
示装置、各種入賞具などの遊技構成部品が設けられ、遊技領域ＰＡの下端部には入賞具に
落入することなく落下した遊技球を裏面側に排出するためのアウト口が遊技盤１０を前後
に貫通して形成されている。
【００１７】
前枠２の裏面側には、図２に示すように、外枠１の内寸サイズよりも幾分小さめの矩形
枠状に形成された裏セット盤２０が着脱可能に取り付けられている。裏セット盤２０は、
遊技盤１０の背後に位置する上部領域に、遊技盤１０の裏面側に突出する画像表示装置や
主制御基板３２（主制御基板ユニット４０）、演出制御基板（演出制御基板ユニット）３
３等を挿通させるために前後連通して開口する大型の窓口開口２０ａを有する枠状に形成
されており、この窓口開口２０ａの上方に、遊技球を貯留する球貯留タンク２１、及び球
貯留タンク２１と繋がって緩く傾斜するタンクレール２２が設けられ、背面視における窓
口開口２０ａの右側に、タンクレール２２により前後各一列の整列状態で導かれた遊技球
を遊技盤１０における入賞状態に基づいて賞球として払い出す球払出装置２３、この球払
出装置２３から払い出された遊技球を球皿ユニット６の球皿に導く球払出通路２４などの
賞球機構が設けられている。
【００１８】
また、裏セット盤２０の背面側には、パチンコ機各部に電力を供給する電源基板（電源
基板ユニット）３１、遊技球発射装置の制御とともに遊技球の払い出しに関する制御を行
う払出制御基板（払出制御基板ユニット）３４などが取り付けられている。また、裏セッ
ト盤２０の窓口開口２０ａ内に位置して遊技盤１０の背面側には、パチンコ機ＰＭにおけ
る制御の中枢を担う主制御基板３２（主制御基板ユニット４０）、遊技展開に応じた画像
表示、効果照明、効果音等の演出の制御を行う演出制御基板（演出制御基板ユニット）３
３などが取り付けられ、これらの制御基板とパチンコ機ＰＭ各部の電気・電子部品がコネ
クタケーブルで接続されてパチンコ機ＰＭが作動可能に構成されている。
【００１９】
以上のように構成されるパチンコ機ＰＭは、外枠１が遊技施設の遊技島（設置枠台）に
固定設置され、前枠２、ガラス扉５、球皿ユニット６等が閉鎖施錠された状態で遊技に供
され、球皿ユニット６の球皿に遊技球を貯留させて発射ハンドル８を回動操作することに
より遊技が開始される。発射ハンドル８が回動操作されると、球皿ユニット６の球皿に貯
留された遊技球が、球皿ユニット６の背面側に配設される球送りカセットによって１球ず
つ遊技補助盤のガイドホルダに送り出され、発射機構のハンマーにより遊技領域ＰＡに打
ち出されてパチンコゲームが展開される。
【００２０】
このように概要構成されるパチンコ機ＰＭにあって、前述の主制御基板３２を備えて構
成される主制御基板ユニット４０にケース封印構造が適用されており、以下においては、
この主制御基板ユニット４０について詳細に説明する。それでは先ず、図３〜図７を追加
参照して、主制御基板ユニット４０の全体構成について説明する。ここで、図３は主制御
基板ユニット４０の斜視図、図４は主制御基板ユニット４０の分解斜視図、図５は主基板
ケースにおいてケース本体部材に対するケース蓋部材の取り付け状態を説明するための模
式図、図６は主基板ケースに設けられる不正開放防止機構の斜視図、図７は不正開放防止
機構におけるロック部材の斜視図である。
【００２１】
主制御基板ユニット４０は、パチンコ機ＰＭの作動を統括的に制御する主制御基板３２
と、主制御基板３２を内部に収容する主基板ケース４５とを主体に構成されている。さら
に、主基板ケース４５は、遊技盤１０の背面側に着脱されるケース本体部材５０と、この
ケース本体部材５０に着脱自在に取り付けられるケース蓋部材６０とを備えて構成されて
おり、ケース本体部材５０にケース蓋部材６０を装着して閉止した閉止状態で位置整合す
るケース端部に、詳細は後述する不正開放防止機構７０及びケース封印部１００がそれぞ
れ設けられている。なお、以降の説明においては、説明の便宜のため、上下及び左右前後
の方向は、パチンコ機ＰＭへの取付状態での方向として、図４の状態を基準にして定義し
ており、図４に示す矢印の方向をそれぞれ前後、左右、上下と称して説明し、他の図中に
も適宜図示している。
【００２２】
主制御基板３２は、図４に示すように、矩形形状のプリント配線板３２ａを基板とし、
このプリント配線板３２ａに種々の半導体デバイスや抵抗、コンデンサ、接続コネクタ等
の電子部品が実装されており、プリント配線板７１ａの周囲に穿設された貫通孔３２ｂに
小ネジを挿入してケース蓋部材６０のネジ孔（図示せず）にネジ止めすることにより、主
制御基板３２がケース蓋部材６０の内面側に固定されるようになっている。
【００２３】
ケース本体部材５０は、後面側に開口を有する矩形箱状の形状を有しており、ＡＢＳ樹
脂やポリカーボネート（ＰＣ）等の透明な樹脂材料を用いて射出成形等の成形手段により
一体的に形成される。このケース本体部材５０の内面側底部５１には、図４に示すように
、補強リブ５１ａが縦横に格子状に形成されており、ケース本体部材５０の強度を向上さ
せている。また、ケース本体部材５０の上下の側壁部（図４において、底部５１の上下の
縁部から前方に向けて立設する側壁部）５３，５３の外方それぞれには、底部５１から前
方に突出する係止突起５４が複数形成されている。
【００２４】
ケース蓋部材６０は、ケース本体部材５０の開口を覆う矩形箱状の形状を有しており、
ＡＢＳ樹脂やポリカーボネート等（ＰＣ）等の透明な樹脂材料を用いて射出成形等の成形
手段により一体的に形成される。ケース蓋部材６０には、主制御基板３２における接続コ
ネクタの実装位置に対応して、表裏貫通するコネクタ挿抜口６２が複数形成されており、
図３等に示すように、主制御基板３２がケース蓋部材６０に取り付けられた状態で、主制
御基板３２の接続コネクタがコネクタ挿抜口６２を介してケース外部に露出する、すなわ
ち、他の制御基板などとコネクタケーブルを介して電気接続可能な状態になる。
【００２５】
ケース蓋部材６０の上下方向縁部から後方に向けて立設する上下の側壁部６３，６３の
それぞれには、この側壁部６３が延びる長手方向（左右方向）に沿って前面側に開口しケ
ース本体部材５０の係止突起５４を受容可能な凹溝状の蓋部材取付溝６４（図５を参照）
が形成されている。この蓋部材取付溝６４内にはケース本体部材５０の係止突起５４と係
合可能な係止壁部６５（図５を参照）が形成されており、この係止壁部６５は、上述の係
止突起５４と同じ数だけ形成され、その配置間隔も係止突起５４と対応している。
【００２６】
このような主基板ケース４５において、ケース本体部材５０に対してケース蓋部材６０
を取り付けるには、先ず図５（Ａ）に示すように、ケース本体部材５０及びケース蓋部材
６０を左右方向にずらした状態で対向させ、続いて図５（Ｂ）に示すように、ケース蓋部
材６０の蓋部材取付溝６４にケース本体部材５０の係止突起５４を挿入した後、図５（Ｃ
）に示すように、ケース本体部材５０に対してケース蓋部材６０を右方向（以下において
「ケース閉止方向」とも称する）にスライド移動させて、係止突起５４と係止壁部６５と
を係合させる。これにより、ケース蓋部材６０は、ケース本体部材５０に対して後方への
移動（ケース本体部材５０からケース蓋部材６０を取り外すための移動）が規制される。
【００２７】
このようにして、ケース蓋部材６０がケース本体部材５０の開口を覆う閉止状態で装着
されている状態では、係止突起５４と係止壁部６５とが係合しているだけであり、ケース
本体部材５０からケース蓋部材６０を取り外すことは容易である。そのため、閉止状態に
あるケース蓋部材６０をケース本体部材５０に対して左方向（以下において「ケース開放
方向」とも称する）にスライド移動できなくして、主基板ケース４５が不正に開放される
ような不正行為を防止するために、主基板ケース４５には不正開放防止機構７０が設けら
れている。
【００２８】
この不正開放防止機構７０は従来から知られている構成であり、種々の構成が適宜用い
られているが、本実施形態では、図４等に示されているように、ケース本体部材５０の右
側部に設けられた本体側係合部５７と、ケース蓋部材６０の右側部に設けられた蓋側係合
部６７と、本体側係合部５７と蓋側係合部６７とを連結させるためのロック部材８０とを
備えて構成される不正開放防止機構を例示する。
【００２９】
本体側係合部５７は、ケース本体部材５０に一体的に設けられて矩形箱状に形成されて
おり、その中心にはロック部材８０が嵌入される円孔状の本体側受容孔５８が穿設されて
いる。この本体側受容孔５８は、ロック部材８０よりも幾分大きな孔径の導入孔５８ａと
、この導入孔５８ａと繋がって導入孔５８ａよりも大きな孔径の係合孔５８ｂとからなる
段付き孔として形成され、これら導入孔５８ａと係合孔５８ｂとの段差部に平坦な規制壁
５８ｃが形成される。
【００３０】
蓋側係合部６７は、ケース蓋部材６０に一体的に設けられて矩形ブロック状に形成され
ており、その中心には本体側係合部５７の導入孔５８ａとほぼ同一の孔径に形成されてロ
ック部材８０が嵌入される円孔状の蓋側受容孔６８が表裏貫通して穿設されている。
【００３１】
ロック部材８０は、図７に示すように、前後に延びる円筒状の軸部８２及びこの軸部８
２よりも大径の円盤状に形成された操作部８３を有するロック本体８１と、軸部８２に貫
通形成されたピン収容孔８４内においてロック本体８１の中心軸（円筒軸）と直交方向に
進退自在に支持されたロックピン８５とを備えて構成される。ロックピン８５は、このピ
ンの軸方向に所定範囲で摺動自在にピン収容孔８４内に支持され、常にはピン収容孔８４
内に設けられたコイルバネ（図示せず）のバネ力によってピン先端部が軸部８２の外方へ
突出するように付勢配設されている。なお、このロック部材８０は、１組の本体側係合部
５７及び蓋側係合部６７に対して１つ使用されることになるが、本実施形態で例示するよ
うに、主基板ケース４５に２組の本体側係合部５７，５７及び蓋側係合部６７，６７が設
けられる構成では合計２つのロックピン８０，８０が必要であり、未使用のロック部材８
０を収納しておくための予備ロック部材収容部９０（図３を参照）が主基板ケース４５の
右端部に設けられている。
【００３２】
このように構成される不正開放防止機構７０を利用して主基板ケース４５を閉止状態で
ロック保持するには、前述したようにケース本体部材５０に対してケース蓋部材６０をス
ライド移動させて装着し、本体側係合部５７と蓋側係合部６７とを前後に対向して重ね合
わせたところで、主基板ケース４５の後方側からロック部材８０を（ロックピン８５の先
端部が軸部８２の内方へ押し込まれた状態で）蓋側受容孔６８及び本体側受容孔５７に跨
るように挿入する。ロック部材８０が挿入された状態では、ロックピン８５の先端部が本
体側受容孔５８（係合孔５８ｂ）内においてコイルバネのバネ力によって軸部８２の外方
へ突出し、このロックピン８５の先端部が本体側受容孔５８の規制壁５８ｃと係合する。
そのため、ロック部材８０は、ロックピン８５と規制壁５８ｃとの係合により後方（抜去
方向）への移動が規制されるとともに、操作部８３と蓋側係合部６７との当接により前方
への移動が規制された位置（「ロック位置」と称する）に保持される。
【００３３】
こうして、ロック部材８０が本体側受容孔５８及び蓋側受容孔６８に挿入されてロック
位置に保持された状態では、ケース蓋部材６０がケース本体部材５０に対して左右にスラ
イド移動できなくなり、ケース本体部材５０にケース蓋部材６０が図３等に示すように閉
止した状態で取り外し不能（開放不能）に連結される。なお、この状態から主基板ケース
４５を開放するには、ケース蓋部材６０と蓋側係合部６７との間を繋ぐ連結部６１を切断
し、本体側係合部５７と係合連結された状態の蓋側係合部６７をケース蓋部材６０から切
り離せばよい。
【００３４】
このような構成の不正開放防止機構７０とともに、主基板ケース４５の不正開放をより
厳重に防止するために、主基板ケース４５にはケース封印構造（ケース封印部）が設けら
れており、先ずはケース封印部の第１の実施形態について、図８〜図１２を参照して、以
下に詳しく説明する。ここで、図８は第１実施形態のケース封印部１００を取り出して示
す分解斜視図、図９はケース封印部１００の本体側封印部及びこれに貼着される封印シー
ルを示す斜視図、図１０は封印シールを示す正面図、図１１はケース封印部１００の保護
カバー部材を示す斜視図、図１２はケース封印部１００の蓋側封印部を示す斜視図である
。なお、前述したように、ここでも便宜的にパチンコ機ＰＭへの取り付け状態での方向に
対応して、図８に示す矢印の方向をそれぞれ前後、左右、上下方向と定義して説明するが
、本発明に係るケース封印構造がこの方向により規定されるものではない。
【００３５】
ケース封印部１００は、ケース本体部材５０に一体的に繋がって形成された本体側封印
部１１０と、本体側封印部１１０に貼着されるＩＣタグ封印シール（以下、単に「封印シ
ール」と称する」）１２０を覆うように本体側封印部１１０に取り付けられる保護カバー
部材１３０と、ケース蓋部材６０に一体的に繋がって形成された蓋側封印部１４０とを主
体に構成される。本体側封印部１１０及び蓋側封印部１４０は、ケース本体部材５０にケ
ース蓋部材６０が図３等に示すように閉止された状態で前後に対向配置されるようになっ
ており、この対向状態において本体側封印部１１０と蓋側封印部１４０との間に、封印シ
ール１２０及びシール破断機構としての保護カバー部材１３０が収容されている。なお、
本体側封印部１１０及び蓋側封印部１４０は、それぞれケース本体部材５０及びケース蓋
部材６０に一体的に繋がって構成されているが、図８〜図１２においては、本体側封印部
１１０及び蓋側封印部１４０を切り離した状態でこれらのみを取り出して図示する（後述
する図１３〜図１８においても同様とする）。
【００３６】
本体側封印部１１０は、封印シール１２０が貼着される中央の台座部１１１と、この台
座部１１１の上下にそれぞれ一体的に設けられる上下壁部１１２，１１２とを備え、全体
として矩形ブロック状に形成されている。台座部１１１におけるＬ字状に屈曲した外表面
（左側の側面及び後面）は、封印シール１２０を貼着するための平坦なシール貼着面１１
３をなし、このシール貼着面１１３を上下に分断するように台座部１１１には互いに平行
（左右方向）に延びる等間隔３箇所のスリット１１４，１１４，１１４が凹設されている
。各スリット１１４は台座部１１１の左側の側面で開放されており、台座部１１１におけ
るシール貼着面１１３の右側方には、スリット１１４，１１４，１１４の各々と一体的に
それぞれ繋がる等間隔３箇所の退避溝１１５，１１５，１１５が凹設されている。これら
スリット１１４及び退避溝１１５は共に後方及び左側方に開口しており、後述する保護カ
バー部材１３０に設けられた破断突起１３３の移動を許容するための通過路となる。台座
部１１１におけるシール貼着面１１３の上下側方に、後方に向けて開口する矩形断面の一
対のリブ破壊孔１１６，１１６が穿設されており、封印シール１２０がシール貼着面１１
３に貼着された状態で、この上下に位置するリブ破壊孔１１６の各々は外方に露出するよ
うになっている。また、台座部１１１を挟む上下壁部１１２，１１２には、スリット１１
４と平行（左右方向）に延びるとともに後方及び左側方に開口するガイド溝１１７，１１
７が形成されている。
【００３７】
図９に示すように、台座部１１１のシール貼着面１１３に亘って封印シール１２０がＬ
字状に折り曲げられるようにして貼着可能であり、その結果、台座部１１１のスリット１
１４はその左側方及び後方に開放された開口が封印シール１２０によって外方から覆われ
て隠蔽される。なお、本実施形態では、封印シール１２０を台座部１１１に（スリット開
口の全体を隠蔽するように）Ｌ字状に折曲して貼着する形態を例示しているが、台座部１
１１のいずれかの外表面（後面または左側面）のみに平面的に貼着する形態でもよく、ス
リット１１４の開口の少なくとも一部分を隠蔽するように台座部１１１の外表面に貼着さ
れるものであれば特に限定されない。
【００３８】
封印シール１２０は、図１０に示すように、矩形シート状のシート部材１２１に、ＩＣ
タグ１２２及びこれに繋がるアンテナ線１２３が透明な樹脂フィルム１２４によって覆わ
れた状態で貼り付けられて構成されており、紙製のシート部材１２１の表面には識別情報
としてのシリアル番号（図示せず）がプリントされている。ＩＣタグ１２２はシート部材
１２１の略中央に配置され、アンテナ線１２３はシート部材１２１の一方の対角線に沿っ
て配置されている。ＩＣタグ１２２は、パチンコ機ＰＭに関する情報、主制御基板３２の
識別情報等、種々の情報を記憶した非常に小さな電子素子であり、これに繋がって配設さ
れたアンテナ線１２３を介して主基板ケース４５の外部からでもこれらの情報を読み取り
可能となっている。
【００３９】
また、シート部材１２１の外縁にはギザギザ状の切り込み１２１ａが規則的に形成され
、このシール部材１２１を剥がすときに切り込み１２１ａの凹部に応力集中が生じて破断
され易いようになっている。一方、樹脂フィルム１２４の外周には、直線状の切り込み１
２４ａが規則的に形成され、封印シール１２０が剥がされたり外力が印加されたときに、
この切り込み１２４ａに沿って樹脂フィルム１２４と共にアンテナ線１２３が破断され易
く、これにより情報送信が不能になるようにしている。
【００４０】
保護カバー部材１３０は、例えば有色透明な合成樹脂材料を用いて射出成形等の成形手
段により一体的に形成されている。この保護カバー部材１３０は、図１１に示すように、
矩形板状のカバー本体１３１と、このカバー本体１３１の上下の縁部から前方に突出して
形成された一対のガイド壁１３２，１３２と、カバー本体１３１の右端から前方に突出し
て形成された３箇所の破断突起１３３，１３３，１３３と、カバー本体１３１の前面（裏
面）の上下端近傍に前方に突出して形成された一対のリブ１３４，１３４と、カバー体１
３１の右端に形成された一対のフック部１３５，１３５とを備えて構成されており、封印
シール１２０が貼着された状態の本体側封印部１１０に載置されるようになっている。
【００４１】
カバー本体１３１は、保護カバー部材１３０が本体側封印部１１０に載置されたときに
、封印シール１２０（シール貼着面１１３）及びリブ破壊孔１１６を隠蔽可能な大きさの
面域を有している。また、保護カバー部材１３０が本体側封印部１１０に載置されたとき
に、この保護カバー部材１３０のガイド壁１３２、破断突起１３３及びリブ１３４が、そ
れぞれ対応する本体側封印部１１０のガイド溝１１７、退避溝１１５及びリブ破壊孔１１
６に位置整合して受容されるようになっている。なお、保護カバー部材１３０の破断突起
１３３が本体側封印部１１０の退避溝１１５内に受容された状態では、この破断突起１３
３は本体側封印部１１０のシール貼着面１１３に貼着された封印シール１２０と接触して
いない。
【００４２】
破断突起１３３は、台座部１１１におけるスリット１１４の溝幅よりも幾分小さく形成
されており、左側方に対向した先端縁部には尖鋭な刃先部１３３ａが形成されている。こ
の破断突起１３３の刃先部１３３ａは鋭角状に形成され、詳細は後述するように、ケース
本体部材５０からケース蓋部材６０を取り外すときに、封印シール１２０を破断（破壊）
する刃物的な役割を果たすようになっている。
【００４３】
リブ１３４は、本体側封印部１１０のリブ破壊孔１１６よりも幾分小さな矩形断面を有
する前後方向に延びた角柱状に形成され、一対のリブ破壊孔１１６の間隔に対応してカバ
ー本体１３１の前面（裏面）から一対突設されており、その前部先端はリブ破壊孔１１６
に挿入し易いように若干テーパ状になっている。このリブ１３４は保護カバー部材１３０
における他の部位よりも薄肉脆弱に形成されて破壊され易くなっている。なお、リブ１３
４の外形形状は角柱状に限定されず、例えば、角錐状や円筒状、円錐状、薄板状、鉤爪状
などであっても構わず、その配設個数も必ずしも一対である必要はなく、１つでも３つ以
上の複数であってもよく、保護カバー部材１３０の材質（機械的強度）等に応じてこれら
は適宜設定可能である。
【００４４】
フック部１３５は、その上縁部及び下縁部が左右方向に沿って一部切り欠かれることで
前後に揺動可能（弾性変形可能）であり、右側先端には後方に向けて突出する係止爪１３
５ａが形成されている。
【００４５】
蓋側封印部１４０は、図１２に示すように、後壁１４１Ｂと、この後壁１４１Ｂを囲ん
で前方に延びる上下及び左側方の側壁１４１Ｕ，１４１Ｄ，１４１Ｌとを有し、全体とし
て前方及び右側方が開放した矩形箱形状を呈しており、この蓋側封印部１４０の内寸が本
体側封印部１１０の外寸よりも一回り大きく形成されることで、蓋側封印部１４０内に本
体側封印部１１０がちょうど収まるようになっている。
【００４６】
蓋側封印部１４０における後壁１４１Ｂの内面側（裏面側）には、保護カバー部材１３
０におけるフック部１３５の係止爪１３５ａと係合可能な凹溝状の係止凹部１４２が形成
されている。そのため、ケース本体部材５０にケース蓋部材６０を装着して、本体側封印
部１１０及び保護カバー部材１３０に対して蓋側封印部１４０を前後に重合させたとき、
保護カバー部材１３０のフック部１３５の係止爪１３５ａが蓋側封印部１４０の係止凹部
１４２に係合するため、このケース閉止状態から、ケース蓋部材６０をケース本体部材５
０に対して左方向（ケース開放方向）にスライド移動させると、本体側封印部１１０に載
置されていた（仮止めされていた）保護カバー部材１３０がこの本体側封印部１１０から
離間して互いに係合関係にある蓋側封印部１４０（ケース蓋部材６０）と共に一体的に移
動するようになる。
【００４７】
次に、このように構成されるケース封印部１００に関し、ケース本体部材５０にケース
蓋部材６０を取り付けるときの作動を、図１３〜図１７を追加参照して説明する。ここで
、図１３は保護カバー部材１３０を本体側封印部１１０に取り付ける前の状態を示す斜視
図、図１４は本体側封印部１１０に対して蓋側封印部１４０をスライド移動させている状
態を示す斜視図、図１５は図１４における矢印XIV−XIVに沿って示す断面図、図１６はケ
ース封印部１００において封印シール１２０を破断する過程を示し、（Ａ）は閉止状態の
ケース封印部１００を示す断面図、（Ｂ）は閉止状態から開放状態となる過程のケース封
印部１００を示す断面図、図１７はケース封印部１００においてリブ１３４を破断する過
程を示し、（Ａ）は閉止状態のケース封印部１００の断面図、（Ｂ）は閉止状態から開放
状態となる過程のケース封印部１００を示す断面図である。
【００４８】
まず、ケース本体部材５０にケース蓋部材６０を取り付けるときには、図９に示すよう
に、前もって、ケース本体部材５０の本体側封印部１１０において、台座部１１１のシー
ル貼着面１１３に亘って封印シール１２０をＬ字状に折り曲げるようにして貼着（接着接
合）しておく。台座部１１１のＬ字状に屈曲するシール貼着面１１３は、封印シール１２
０の外表面に合わせた大きさに形成されており、このシール貼着面１１３に合わせて封印
シール１２０を貼着することで、この封印シール１２０によってスリット１１４の開口全
体が覆われて、封印シール１２０のアンテナ線１２３が３箇所のスリット１１４の真上を
横断するように配置される。また、このとき、台座部１１１の外表面であってシール貼着
面１１３の領域外に凹設された一対のリブ破壊孔１１６は封印シール１２０によって隠蔽
されず後方に向けて露出している。
【００４９】
このように封印シール１２０が貼着された本体側封印部１１０に対して、図１３に示す
ように、保護カバー部材１３０が封印シール１２０の後面側を覆うようにして取り付けら
れる（仮止めされる）。保護カバー部材１３０が本体側封印部１１０に載置されると、保
護カバー部材１３０のガイド壁１３２が前後壁部１１２のガイド溝１１７に受容されると
ともに、破断突起１３３が台座部１１１の退避溝１１５に受容され、リブ１３４が台座部
１１１のリブ破壊孔１１６に受容されるようになり、この状態で、本体側封印部１１０及
び保護カバー部材１３０を左端側から見た側面視においては、破断突起１３３の刃先部１
３３ａと封印シール１２０とが交差して重なっている（なお、このとき両者は接触してい
ない）。
【００５０】
こうして保護カバー部材１３０が載置された本体側封印部１１０に対して蓋側封印部１
２０が前後に重合するように取り付けられるわけであるが、ケース本体部材５０へのケー
ス蓋部材６０の取り付けは、既述したように、ケース蓋部材６０をケース本体部材５０に
対して左方に若干ずらした位置で後方からケース本体部材５０に重なり合わせ、且つ右方
向（ケース閉止方向）にスライド移動させて行われる。このとき、ケース封印部１００に
おいては、図１４及び図１５に示すように、蓋側封印部１４０が左方にずれた状態で本体
側封印部１１０と前後に重なり合い、ケース蓋部材６０と共に一体となって右方向に移動
する。蓋側封印部１４０の移動に際して、蓋側封印部１４０の後壁１４１Ｂと保護カバー
部材１３０のフック部１３５の係止爪１３５ａとが上下方向に重なり合うところで、保護
カバー部材１３０において後方へ突出する係止爪１３５ａが、これと対向する蓋側封印部
１４０の後壁１４１Ｂの内面に当接し、前方へ押圧されて弾性変形した状態（撓んだ状態
）を維持する。
【００５１】
そして、ケース本体部材５０にケース蓋部材６０が閉止して取り付けられたとき、ケー
ス本体部材５０の係止突起５４がケース蓋部材６０の係止壁６５と係合し、ケース蓋部材
６０の後方への移動が制限されるとともに、本体側係合部５７と蓋側係合部６７とが前後
に重なり合い、この状態で、ロック部材８０を後方側から蓋側受容孔６８及び本体側受容
孔５８に跨るように挿入することで、このロック部材８０を介して本体側係合部５７と蓋
側係合部６７とが係合連結し、ケース蓋部材６０がケース本体部材５０に（連結部６１を
切り離さない限りは）開放不能に連結保持される。一方、このようにケース本体部材５０
にケース蓋部材６０が閉止して取り付けられたとき、ケース封印部１００においては、図
１７（Ａ）に示すように、本体側封印部１１０と蓋側封印部１４０とがその間に封印シー
ル１２０及び保護カバー部材１３０を介在させて前後に重なり合い、更には、保護カバー
部材１３０においてフック部１３５の係止爪１３５ａが復元弾性によって元の姿勢に復帰
して蓋側封印部１４０の係止凹部１４２と係合し、これにより保護カバー部材１３０と蓋
側封印部１４０とが連結する。なお、本体側封印部１１０と蓋側封印部１４０とが前後に
重合すると、これら本体側封印部１１０と蓋側封印部１４０とにより囲まれて閉止状態の
封印空間１０１が内部に画成される。
【００５２】
こうして主基板ケース４５が強固な閉止状態に保持されると、主基板ケース４５内に収
容された主制御基板３２、封印シール１２０及び保護カバー部材１３０への外部からのア
クセスは不可能である。
【００５３】
以上の説明から分かるように、ケース本体部材５０にケース蓋部材６０を閉止させると
、これにより対向配置された本体側封印部１１０及び蓋側封印部１４０の内部（封印空間
１０１）において台座部１１１に貼着された封印シール１２０が外部に対して非露出状態
で保持される。ここで、封印シール１２０は、前述のように、ＩＣタグ１２２及びアンテ
ナ線１２３を実装しており、主基板ケース４５（本体側封印部１１０及び蓋側封印部１４
０）の内部に保持された状態のままで、ＩＣタグ１２２に記憶された各種情報（例えば、
パチンコ機ＰＭに関する情報、主制御基板３２の識別情報等）をアンテナ線１２３を介し
て無線により、主基板ケース４５を開放することなく外部から読み取り可能である。
【００５４】
次に、ケース本体部材５０とケース蓋部材６０とが閉止保持された状態からケース蓋部
材６０を開放させる場合について説明する。ケース蓋部材５０からケース蓋部材６０を取
り外すには、先ず、不正開放防止機構７０におけるケース蓋部材６０と蓋側係合部６７と
の間を繋ぐ連結部６１をニッパ等の工具を用いて切断し、本体側係合部５７と係合連結さ
れた蓋側係合部６７をケース蓋部材６０から切り離す。これにより、ケース本体部材５０
とケース蓋部材６０との連結は断たれ、且つケース蓋部材６０をケース蓋部材５０に対し
て左方向（ケース開放方向）にスライド移動させる（係止壁部６５を係止突起５４から抜
脱する位置に移動させる）ことで、ケース蓋部材６０をケース本体部材５０から取り外す
ことができる。なお、このとき、ケース本体部材５０の側には本体側係合部５７と蓋側係
合部６７（ケース蓋部材６０から分離された蓋側係合部６７）とがロック部材８０により
係合状態で残留し、ケース蓋部材６０の側には連結部６１を破断した破断痕が残るため、
ケース本体部材５０及びケース蓋部材６０の両方にケースを開放した痕跡が残存すること
になる。
【００５５】
このように主基板ケース４５を開放させるために、ケース本体部材５０に対してケース
蓋部材６０を左方向にスライド移動させたときに、ケース封印部１００においては、保護
カバー部材１３０の破断突起１３３によって封印シール１２０が破断されるとともに、保
護カバー部材１３０のリブ１３４が破壊（破断）されるようになっており、これについて
以下に説明する。
【００５６】
ケース本体部材５０とケース蓋部材６０とが閉止保持された状態では、図１７（Ａ）に
示すように、保護カバー部材１３０の破断突起１３３は本体側封印部１１０の退避溝１１
５内に位置して封印シール１２０とは接触しておらず、破断突起１３３の刃先部１３３ａ
が封印シール１２０を介在させてスリット１１４と近接対向している。また、図１８（Ａ
）に示すように、保護カバー部材１３０のリブ１３４は本体側封印部１１０のリブ破壊孔
１１６に嵌挿されている。この状態からケース蓋部材６０が左方向にスライド移動される
と、前述したように蓋側封印部１１０には保護カバー部材１３０が係合連結されているた
め、蓋側封印部１４０と共に保護カバー部材１３０も一体となって左方向に移動される。
【００５７】
このようにケース本体部材６０のスライド移動に伴って、蓋側封印部１４０及び保護カ
バー部材１３０が一体的に移動することになるが、前述したように、保護カバー部材１３
０から突設されるリブ１３４は本体側封印部１１０のリブ破壊孔１１６に嵌挿された状態
であるため、本体側封印部１１０に対して保護カバー部材１３０を相対移動させると、リ
ブ１３４がリブ破壊孔１１６の内周壁に突き当たり押圧荷重を受けるようになる。そして
、図１８（Ｂ）に示すように、このリブ１３４に作用する荷重が自身の機械的強度（破断
強度）を超えたところで、例えば、応力集中が生じている根本付近を起点としてリブ１３
４が押圧破断されることになる。従って、このように保護カバー部材１３０のリブ１３４
を破壊すれば、主基板ケース４５を開放したときの痕跡（破断痕）を残存させることがで
きるとともに、この保護カバー部材１３０を無傷の状態で再使用できなくすることが可能
である。なお、保護カバー部材１３０から分離されたリブ１３４は、蓋側封印部１４０及
び保護カバー部材１３０の移動に拘わらず、本体側封印部１１０のリブ破壊孔１１６内に
受容された状態で残留することになる。
【００５８】
一方、このとき、破断突起１３３の通過路となるスリット１１４は、破断突起１３３の
移動方向に対応して同方向に延出しており、このスリット１１４を横断するようにして封
印シール１２０が貼着されているため、こうして蓋側封印部１４０と共に保護カバー部材
１３０を移動させると、図１７（Ｂ）に示すように、破断突起１３３の刃先部１３３ａが
封印シール１２０に接触して当該スライド方向（ケース開放方向）に沿って封印シール１
２０を破断しながらスリット１１４内を通過する。このように封印シール１２０を切り裂
けば、ＩＣタグ１２２そのものを破壊できなくてもアンテナ線１２３を破断することにな
り、ＩＣタグ１２２に格納された情報が実質的に読み取り不能になるため、これにより不
正アクセスの痕跡を残存させることができるとともに、封印シール１２０を再生不能な程
度に破壊する（不正に再使用できなくする）ことが可能である。
【００５９】
そして、ケース蓋部材６０と共に蓋側封印部１４０及び保護カバー部材１３０をそのま
ま左方向にスライド移動させていけば、破断突起１３３がスリット１１４を通過しつつ封
印シール１２０を完全に破断してスリット１１４の左方の開放端から脱出することになり
、ケース蓋部材６０の係止壁部６５がケース本体部材５０の係止突起５４から抜脱される
所定位置に到達したところで、ケース蓋部材６０を後方に移動させれば、ケース蓋部材６
０がケース本体部材５０から取り外される。
【００６０】
以上、第１の実施形態に係るケース封印部１００では、保護カバー部材１３０のリブ１
２４を本体側封印部１１０のリブ破壊孔１１６に受容させた状態で、ケース本体部材５０
に対してケース蓋部材６０をケース閉止方向に移動させて本体側封印部１１０と蓋側封印
部１４０とを近接対向させたケース閉止状態において、本体側封印部１１０に載置されて
いた保護カバー部材１３０が蓋側封印部１４０に係合連結するようになっており、このケ
ース閉止状態から主基板ケース４５を開放するために、ケース本体部材５０に対してケー
ス蓋部材６０をケース開放方向に移動させて本体側封印部１１０と蓋側封印部１４０とを
離間させるときに、保護カバー部材１３０が蓋側封印部１４０との係合状態を維持しなが
ら共に移動して本体側封印部１１０の台座部１１１に貼着された封印シール１２０に当接
して破断突起１３３によりこれを破断するとともに、保護カバー部材１３０のリブ１３４
が本体側封印部１１０のリブ破壊孔１１６の内周壁に接触して押圧破断されるように構成
される。従って、封印シール１２０及び保護カバー部材１３０を破壊することなく、この
主基板ケース４５を開放することができない構造となるため、主基板ケース４５に対する
不正アクセスの痕跡を明瞭に残存させることができるとともに、封印シール１２０及び主
基板ケース４５（保護カバー部材１３０）が不正に再使用されることを防止でき、不正行
為の予防及び早期発見に寄与することが可能である。
【００６１】
ところで、主基板ケース４５の再使用に関しては、従来から、同一機種の二つの基板ケ
ースを準備し、これらの中から破壊された痕跡のない再使用可能な状態のケース構成部品
のみを取り出して適宜に組み合わせることで、１つの新たな基板ケースを作り上げる、い
わゆる２個１（ニコイチ）と称される不正な組立行為が横行しており、そのため不正改造
された制御基板が痕跡を残さずに基板ケースごと取り替えられるという事例が後を絶たな
い。これに対して、本実施形態のケース封印部１００を備えた主基板ケース４５では、前
述したように、主基板ケース４５が開放されたときに、ケース本体部材５０及びケース蓋
部材６０には連結部６１が切り離されたことによる痕跡が残存するとともに、保護カバー
部材１３０にはリブ１３４の破断痕が残存し、封印シール１２０には破断突起１３３によ
り切り裂かれた痕跡が残存するため、この主基板ケース４５の構成部品たるケース本体部
材５０、ケース蓋部材６０、及び保護カバー部材１３０、並びに封印シール１２０のいず
れについても破壊された痕跡を残存させずに無傷の状態で再使用することは不可能であり
、２個１（ニコイチ）と称される基板ケースの不正な組立行為を確実に抑止することが可
能である。
【００６２】
なお、上述の第１実施形態では、保護カバー部材１３０が本体側封印部１１０に載置さ
れた際に、保護カバー部材１３０のリブ１３４が本体側封印部１１０のリブ破壊孔１１６
に受容され、主基板ケース４５が開放されたときに押圧破断されてその破断痕が残存され
る構成であったが、この構成に限定されるものではなく、例えば、図１８に示すように、
本体側封印部１１０と保護カバー部材１３０との両方にリブ及びリブ破壊孔の組を設けて
、保護カバー部材１３０が本体側封印部１１０に載置された際に、保護カバー部材１３０
のリブ１３４が本体側封印部１１０のリブ破壊孔１１６に受容されるとともに、本体側封
印部１１０に突設されたリブ１１９が保護カバー部材１３０に穿設されたリブ破壊孔１３
９に受容されるように構成することで、主基板ケース４５が開放されたときに、本体側封
印部１１０及び保護カバー部材１３０の各々のリブ１１６，１３４が押圧破断されるよう
にしてもよい。このような構成によれば、本体側封印部１１０（ケース本体部材５０）及
び保護カバー部材１３０の両方に破壊された痕跡が残るため、不正アクセスの痕跡をより
多く且つ明瞭に残存させることができるとともに、不正な再使用をより確実に防止するこ
とが可能になる。
【００６３】
また、本体側封印部１１０にリブ破壊孔１１６を設けることなく、本体側封印部１１０
に保護カバー部材１３０を載置したときに、保護カバー部材１３０のリブ１３４が本体側
封印部１１０の右側の側壁面に近接して対向する構成としてもよく、この場合には主基板
ケース４５を開放するときに、保護カバー部材１３０のリブ１３４が本体側封印部１１０
の右側面に当接して押圧破断されることになる。このような構成によれば、本体側封印部
１１０の台座部１１１に破壊孔１１６を形成する必要がなく、より簡明な構成とすること
ができるとともに、台座部１１１には封印シール１２０を貼着するための必要最小限のス
ペースを設けるだけで足りるため、これに応じて本体側封印部１１０、保護カバー部材１
３０及び蓋側封印部１４０（すなわち、シール封印部１００）を小型化することが可能で
ある。
【００６４】
次に、ケース封印部の第２の実施形態について、図１９〜図２２を参照して以下に詳し
く説明する。ここで、図１９は第２実施形態のケース封印部２００を取り出して示す分解
斜視図、図２０はケース封印部２００の本体側封印部２１０及びこれに貼着される封印シ
ールを示す斜視図、図２１はケース封印部２００の保護カバー部材を示す斜視図、図２２
はケース封印部２００の蓋側封印部を示す斜視図である。なお、本実施形態のケース封印
部２００は、前述した第１実施形態のケース封印部１００における本体側封印部、保護カ
バー部材及び蓋側封印部の構成のみが異なり、他の構成は同様であるため同一部位に同一
番号を付して重複説明を省略する。また、本実施形態でも、便宜的に図１９に示す矢印の
方向をそれぞれ前後、左右、上下方向と定義して説明するが、本発明のケース封印構造が
この方向により規定されるものではない。
【００６５】
ケース封印部２００は、ケース本体部材５０に一体的に繋がって形成された本体側封印
部２１０と、本体側封印部２１０に貼着される封印シール（ＩＣタグ封印シール）１２０
を覆うように本体側封印部２１０に取り付けられる保護カバー部材２３０と、ケース蓋部
材６０に一体的に繋がって形成された蓋側封印部２４０とを主体に構成される。本体側封
印部２１０及び蓋側封印部２４０は、ケース本体部材５０にケース蓋部材６０が図３等に
示すように閉止された状態で前後に対向配置されるようになっており、この対向状態にお
いて本体側封印部２１０と蓋側封印部２４０との間に、封印シール１２０及びシール破断
機構としての保護カバー部材２３０が収容されている。なお、本体側封印部２１０及び蓋
側封印部２４０は、それぞれケース本体部材５０及びケース蓋部材６０に一体的に繋がっ
て構成されているが、図１９〜図２２においては、本体側封印部２１０及び蓋側封印部２
４０を切り離した状態でこれらのみを取り出して図示する（後述する図２３〜図２６にお
いても同様とする）。
【００６６】
本体側封印部２１０は、封印シール１２０が貼着される中央の台座部２１１と、この台
座部２１１の上下にそれぞれ一体的に設けられる上下壁部２１２，２１２とを備え、全体
として矩形ブロック状に形成されている。台座部２１１におけるＬ字状に屈曲した外表面
（左側の側面及び後面）は、封印シール１２０を貼着するための平坦なシール貼着面２１
３をなし、このシール貼着面２１３を上下に分断するように台座部２１１には左右方向に
延びるスリット２１４が凹設されている。スリット２１４は台座部２１１の内側で終端し
ており（すなわち、台座部２１１の左側の側面で開放されていない）、台座部１１１にお
けるシール貼着面１１３の右側方には、このスリット１１４と一体的に繋がる退避溝２１
５が凹設されている。これらスリット２１４及び退避溝２１５は後述する保護カバー部材
２３０に設けられた破断突起２３３の移動を許容するための通過路となる。また、台座部
２１１を挟む上下壁部２１２，２１２には、スリット２１４と平行（左右方向）に延びる
とともに後方及び左側方に開口するガイド溝２１７，２１７が形成されている。
【００６７】
図２０に示すように、台座部２１１のシール貼着面２１３に亘って封印シール１２０が
Ｌ字状に折り曲げられるようにして貼着可能であり、その結果、台座部２１１のスリット
２１４はその後方に開放された開口が封印シール１２０によって外方から覆われて隠蔽さ
れる。なお、本実施形態でも、封印シール１２０を台座部２１１にＬ字状に折曲して貼着
する形態を例示しているが、スリット２１４の開口の少なくとも一部分を隠蔽するように
台座部２１１の外表面に貼着されるものであれば特に限定されない。
【００６８】
保護カバー部材２３０は、有色透明な合成樹脂材料を用いて射出成形等の成形手段によ
り一体的に形成されている。この保護カバー部材２３０は、図２１に示すように、矩形板
状のカバー本体２３１と、このカバー本体２３１の上下の縁部から前方に突出して形成さ
れた一対のガイド壁２３２，２３２と、カバー本体２３１の右端から前方に突出して形成
された破断突起２３３と、カバー体２３１の右端に形成された一対のフック部２３５，２
３５とを備えて構成されており、封印シール１２０が貼着された状態の本体側封印部２１
０に載置されるようになっている。
【００６９】
カバー本体２３１は、保護カバー部材２３０が本体側封印部２１０に載置されたときに
、封印シール１２０（シール貼着面２１３）を隠蔽可能な大きさの面域を有している。ま
た、保護カバー部材２３０が本体側封印部２１０に載置されたときに、この保護カバー部
材２３０のガイド壁２３２及び破断突起２３３が、それぞれ対応する本体側封印部２１０
のガイド溝２１７及び退避溝２１５に位置整合して受容されるようになっている。なお、
保護カバー部材２３０の破断突起２３３が本体側封印部２１０の退避溝２１５内に受容さ
れた状態では、この破断突起２３３は本体側封印部２１０のシール貼着面２１３に貼着さ
れた封印シール１２０と接触していない。
【００７０】
破断突起２３３は、カバー本体２３１から前方に突出形成された角柱状の脆弱部２３３
ａと、この脆弱部２３３ａに連設された刃体２３３ｂとを有しており、台座部２１１にお
けるスリット２１１を通過可能なようにスリット２１４の溝幅よりも幾分小さく形成され
ている。脆弱部２３３ａは、保護カバー部材２３０における他の部位よりも薄肉脆弱に形
成されて破壊され易くなっている。刃体２３３ｂには、左側方に対向した一対の先端縁部
に尖鋭な刃先部２３３ｃ，２３３ｃがそれぞれ形成されている（図２１では一方の刃先部
２３３ａのみが現れている）。この破断突起２３３の刃先部２３３ｃは鋭角状に形成され
、詳細は後述するように、ケース本体部材５０からケース蓋部材６０を取り外すときに、
封印シール１２０を破断（破壊）する刃物的な役割を果たすようになっている。なお、脆
弱部２３３ａの外形形状は角柱状に限定されず、例えば、角錐状や円筒状、円錐状、薄板
状、クランク状などであっても構わない。
【００７１】
フック部２３５は、その上縁部及び下縁部が左右方向に沿って一部切り欠かれることで
前後に揺動可能（弾性変形可能）であり、右側先端には後方に向けて突出する係止爪２３
５ａが形成されている。
【００７２】
蓋側封印部２４０は、図２２に示すように、後壁２４１Ｂと、この後壁２４１Ｂを囲ん
で前方に延びる上下及び左側方の側壁２４１Ｕ，２４１Ｄ，２４１Ｌとを有し、全体とし
て前方及び右側方が開放した矩形箱形状を呈しており、この蓋側封印部２４０の内寸が本
体側封印部２１０の外寸よりも一回り大きく形成されることで、蓋側封印部２４０内に本
体側封印部２１０がちょうど収まるようになっている。
【００７３】
蓋側封印部２４０における後壁２４１Ｂの内面側（裏面側）には、保護カバー部材２３
０におけるフック部２３５の係止爪２３５ａと係合可能な凹溝状の係止凹部２４２が形成
されている。そのため、ケース本体部材５０にケース蓋部材６０を装着して、本体側封印
部２１０及び保護カバー部材２３０に対して蓋側封印部２４０を前後に重合させたとき、
保護カバー部材２３０のフック部２３５の係止爪２３５ａが蓋側封印部２４０の係止凹部
２４２に係合するため、このケース閉止状態から、ケース蓋部材６０をケース本体部材５
０に対して左方向（ケース開放方向）にスライド移動させると、本体側封印部２１０に載
置されていた（仮止めされていた）保護カバー部材２３０がこの本体側封印部２１０から
離間して互いに係合関係にある蓋側封印部２４０（ケース蓋部材６０）と共に一体的に移
動するようになる。
【００７４】
続いて、このように構成されるケース封印部２００に関し、ケース本体部材５０にケー
ス蓋部材６０を取り付けるときの作動を、図２３〜図２５を追加参照して説明する。なお
、前述の第１実施形態のところで不正開放防止機構７０等の作動は既述しているため、以
下ではケース封印部２００の作動を主として説明する。ここで、図２３は保護カバー部材
２３０を本体側封印部２１０に取り付ける前の状態を示す斜視図、図２４は本体側封印部
２１０に対して蓋側封印部２４０をスライド移動させている状態を示す斜視図、図２５は
ケース封印部２００において封印シール１２０及び破断突起２３３が破断される過程を示
し、（Ａ）は閉止状態のケース封印部２００の断面図、（Ｂ）は閉止状態から開放状態と
なる過程のケース封印部２００の断面図である。
【００７５】
なお、このときには、図２０に示すように、前もって、ケース本体部材５０の本体側封
印部２１０において、台座部２１１のシール貼着面２１３に亘って封印シール１２０をＬ
字状に折り曲げるようにして貼着（接着接合）しておく。台座部２１１のＬ字状に屈曲す
るシール貼着面２１３は、封印シール２１０の外表面に合わせた大きさに形成されており
、このシール貼着面２１３に合わせて封印シール１２０を貼着することで、この封印シー
ル１２０によってスリット２１４の開口全体が覆われて、封印シール１２０のアンテナ線
１２３がスリット２１４の真上を横断するように配置される。
【００７６】
このように封印シール１２０が貼着された本体側封印部２１０に対して、図２３に示す
ように、保護カバー部材２３０が封印シール１２０の後面側を覆うようにして取り付けら
れる（仮止めされる）。保護カバー部材２３０が本体側封印部２１０に載置されると、保
護カバー部材２３０のガイド壁２３２が前後壁部２１２のガイド溝２１７に受容されると
ともに、破断突起２３３が台座部２１１の退避溝２１５に受容されるようになり、この状
態で、本体側封印部２１０及び保護カバー部材２３０を左端側から見た側面視においては
、破断突起２３３の刃先部２３３ｃと封印シール１２０とが交差して重なっている（なお
、このとき両者は接触していない）。
【００７７】
そして、ケース蓋部材６０をケース本体部材５０へ取り付けるときに、ケース封印部２
００においては以下のように作動する。先ず、ケース蓋部材６０をケース本体部材５０に
対して左方に若干ずらした位置で後方からケース本体部材５０を覆うように閉止するとき
に、図２４に示すように、蓋側封印部２４０が本体側封印部２１０に対して左方に若干ず
れた状態で本体側封印部２１０と前後に重なり合う。この状態からケース蓋部材６０をケ
ース本体部材５０に対して右方向（ケース閉止方向）にスライド移動させるのであるが、
蓋側封印部２４０がケース蓋部材６０を一体となって右方向に移動されると、蓋側封印部
２４０の後壁２４１Ｂと保護カバー部材２３０のフック部２３５の係止爪２３５ａとが上
下方向に重なり合うところで、保護カバー部材２３０において後方へ突出する係止爪２３
５ａが、これと対向する蓋側封印部２４０の後壁２４１Ｂの内面に当接し、前方へ押圧さ
れて弾性変形した状態（撓んだ状態）を維持する。ここから、ケース蓋部材６０をさらに
右方向に移動させてケース本体部材５０とちょうど前後に重なる位置に到達させたところ
で、蓋側封印部２４０と本体側封印部２１０とがその間に封印シール１２０及び保護カバ
ー部材２３０を介在させてちょうど前後に重なり合い、更には、保護カバー部材２３０に
おいてフック部２３５の係止爪２３５ａが復元弾性によって元の姿勢に復帰して蓋側封印
部２４０の係止凹部２４２と係合し、これにより保護カバー部材２３０と蓋側封印部２４
０とが連結する。なお、本体側封印部２１０と蓋側封印部２４０とが前後に重合すると、
これら本体側封印部２１０と蓋側封印部２４０とにより囲まれて閉止状態の封印空間２０
１が内部に画成される。
【００７８】
こうして主基板ケース４５が強固な閉止状態に保持されると、主基板ケース４５内に収
容された主制御基板３２、封印シール１２０及び保護カバー部材２３０への外部からのア
クセスは不可能である。
【００７９】
以上の説明からも分かるように、ケース本体部材５０に対してケース蓋部材６０を閉止
させると、これにより対向配置された本体側封印部２１０及び蓋側封印部２４０の内部（
封印空間２０１）において台座部２１１に貼着された封印シール１２０が外部に対して非
露出状態で保持される。ここで、封印シール１２０は、前述のように、ＩＣタグ１２２及
びアンテナ線１２３を実装しており、主基板ケース４５（本体側封印部２１０及び蓋側封
印部２４０）の内部に保持された状態のままで、ＩＣタグ１２２に記憶された各種情報を
アンテナ線１２３を介して無線により、主基板ケース４５を開放することなく外部から読
み取り可能である。
【００８０】
次に、このようにケース本体部材５０とケース蓋部材６０とが閉止保持された状態から
ケース蓋部材６０を開放させる場合について説明する。主基板ケース４５を開放させるた
めに、ケース本体部材５０に対してケース蓋部材６０を左方向（ケース開放方向）にスラ
イド移動させたときに、ケース封印部２００においては、保護カバー部材２３０の破断突
起２３３によって封印シール１２０が破断されるとともに、この破断突起２３３自体が破
壊（破断）されるようになっており、これについて以下に説明する。
【００８１】
ケース本体部材５０とケース蓋部材６０とが閉止保持された状態では、図２５（Ａ）に
示すように、保護カバー部材２３０の破断突起２３３は本体側封印部２１０の退避溝２１
５内に位置して封印シール１２０とは接触しておらず、破断突起２３３の刃先線２３３ｃ
が封印シール１２０を介在させてスリット２１４と近接対向している。
【００８２】
この状態からケース蓋部材６０が左方向にスライド移動されると、前述したように蓋側
封印部２４０には保護カバー部材２３０が係合連結されているため、蓋側封印部２４０と
共に保護カバー部材２３０も一体となって左方向に移動される。このとき、破断突起２３
３の通過路となるスリット２１４は、破断突起２３３の移動方向に対応して同方向に延出
しており、このスリット２１４を横断するようにして封印シール１２０が貼着されている
ため、こうして蓋側封印部２４０と共に保護カバー部材２３０を移動させると、図２５（
Ｂ）に示すように、破断突起２３３の刃先部２３３ｃが封印シール１２０に接触して当該
スライド方向（ケース開放方向）に沿って封印シール１２０を破断しながらスリット２１
４を通過することになる。このように封印シール１２０を切り裂けば、ＩＣタグ１２２そ
のものを破壊できなくてもアンテナ線１２３を破断することになり、ＩＣタグ１２２に格
納された情報が実質的に読み取り不能になるため、これにより不正アクセスの痕跡を残存
させることができるとともに、封印シール１２０を再生不能な程度に破壊する（不正に再
使用できなくする）ことが可能である。
【００８３】
一方、このような蓋側封印部２４０及び保護カバー部材２３０のスライド移動に伴って
、保護カバー部材２３０の破断突起２３３が封印シール１２０を破断しながらスリット２
１４を通過するわけであるが、こうして破断突起２３３をスリット２１４に沿って通過さ
せていくと、図２５（Ｂ）に示すように、破断突起２３３の刃体２３３ｂがスリット２１
４の終端壁に突き当たり押圧荷重を受けるようになる。そして、この破断突起２３３に作
用する荷重が自身の機械的強度（破断強度）を超えたところで、応力集中が生じている薄
肉の脆弱部２３３ａを起点として破断突起２３３が押圧破断されることになる。従って、
このように保護カバー部材２３０の破断突起２３３自体を破断すれば、主基板ケース４５
を開放したときの痕跡を残存させることができるとともに、この保護カバー部材２３０を
無傷の状態で再使用できなくすることが可能である。
【００８４】
そして、そのままケース蓋部材６０を左方向にスライド移動させていき、ケース蓋部材
６０の係止壁部６５がケース本体部材５０の係止突起５４から抜脱される所定位置に到達
したところで、ケース蓋部材６０を後方に移動させれば、ケース蓋部材６０がケース本体
部材５０から取り外される。
【００８５】
以上、第２の実施形態に係るケース封印部２００では、ケース本体部材５０に対してケ
ース蓋部材６０をケース閉止方向に移動させて本体側封印部２１０と蓋側封印部２４０と
を近接対向させたケース閉止状態において、本体側封印部２１０に載置されていた保護カ
バー部材２３０が蓋側封印部２４０と係合連結するようになっており、このケース閉止状
態から主基板ケース４５を開放させるために、ケース本体部材５０に対してケース蓋部材
６０をケース開放方向に移動させて本体側封印部２１０と蓋側封印部２４０とを離間させ
るときに、保護カバー部材２３０が蓋側封印部２４０との係合状態を維持しながら共に移
動して、この保護カバー部材２３０の破断突起２３３が本体側封印部２１０のスリット２
１４を通過しながら台座部２１１に貼着された封印シール１２０に当接してこれを破断す
るとともに、この破断突起２３３自体がスリット２１４の終端壁に接触して押圧破断され
るように構成される。従って、封印シール１２０及び保護カバー部材２３０を破壊するこ
となく、この主基板ケース４５を開放することができない構造となるため、主基板ケース
４５に対する不正アクセスの痕跡を明瞭に残存させることができるとともに、封印シール
１２０及び主基板ケース４５（保護カバー部材２３０）が不正に再使用されることを防止
でき、不正行為の予防及び早期発見に寄与することが可能である。
【００８６】
また、この第２の実施形態に係るケース封印部２００においても、主基板ケース４５が
開放されたときに、ケース本体部材５０及びケース蓋部材６０には連結部６１が切り離さ
れたことによる痕跡が残存するとともに、保護カバー部材２３０には破断突起２３３自体
の破断痕が残存し、封印シール１２０には破断突起２３３により切り裂かれた痕跡が残存
するため、この主基板ケース４５の構成部品たるケース本体部材５０、ケース蓋部材６０
、及び保護カバー部材２３０、並びに封印シール１２０のいずれについても破壊された痕
跡を残存させずに無傷の状態で再使用することは不可能であり、２個１（ニコイチ）と称
される基板ケースの不正な組立行為を確実に抑止することが可能である。
【００８７】
また、第２の実施形態に係るケース封印部２００では、主基板ケース４５の開放の際に
シール破断用の破断突起２３３自体を破壊する構成であるので、第１の実施形態と比して
、リブ及びリブ破壊孔を設ける必要が無くより簡明な構成になるとともに、シール破断機
構としての保護カバー部材２３０を実質的に再使用できなくすることが可能になる点で特
徴的である。
【００８８】
ここで、上述した第２の実施形態では、蓋側封印部２４０及び保護カバー部材２３０の
左方向への移動に伴って、保護カバー部材２３０の破断突起２３３が、台座部２１１の後
面側に開口して左右方向に延びるスリット２１４を通過することにより、スリット２１４
上に貼着された封印シール１２０を破断するとともに、この破断突起２２３自体がスリッ
ト２１４の終端壁に当接して押圧破断される構成を例示して説明したが、この構成に限定
されるものではない。例えば、図２６に示すように、本体側封印部２１０に台座部２１１
の右壁面側に開口して破断突起２３３と対向するシール破壊孔２１１ａを設け、このシー
ル破壊孔２１１ａを隠蔽するように封印シール１２０を貼着することで、蓋側封印部２４
０及び保護カバー部材２３０が一体となって左方向（ケース開放方向）へ移動したときに
、破断突起２３３が封印シール１２０を突き破りながら（破断しながら）シール破壊孔２
１１ａに受容され、脆弱部２３３ａが台座部２１１の右壁面に突き当たったところで、こ
の脆弱部２３３ａを起点として破断突起２３３が押圧破断されるように構成してもよい。
【００８９】
これまで本発明の好ましい実施形態について説明してきたが、本発明の範囲はこれに限
定されるものではない。例えば、上述の実施形態では、主基板ケース４５を開放するとき
に、保護カバー部材１３０，２３０において、リブ１３４、破断突起２３３の脆弱部２３
３ａ、がそれぞれ破断される構成であったが、これに限定されず、保護カバー部材１３０
，２３０の少なくとも一部が目視可能な程度に破壊されていれば（破壊の痕跡が残存する
ものであれば）、カバー本体１３１，２３１に割れや亀裂が入ったり、カバー本体１３１
，２３１が塑性変形したり、部材自体が割れずに（例えば、ＡＢＳ樹脂の成分であるブタ
ジエン等の作用により）白化（変色）したりする態様のものであってもよい。
【００９０】
また、上述の実施形態において、封印シール１２０を破断するためのシール破断機構と
して保護カバー部材１３０，２３０を例示して説明したが、これに限定されるものではな
く、主基板ケース４５を開放する際に、蓋側封印部１４０，２４０と係合連結して封印シ
ール１２０を破断する機能を有していれば、本体側封印部１１０，２１０に載置されたと
きに封印シール１２０を覆うものでなくてもよい（保護カバーとしての機能を持たなくて
もよい）。
【００９１】
また、上述の実施形態において、リブ１３４、脆弱部２３３ａを他の部位に比して必ず
しも薄肉脆弱に形成する必要はなく、完全に破断されなくとも割れや亀裂、塑性変形、変
色等して、破壊された痕跡が残存するものであれば、他の部位よりも厚肉に形成されたも
のでも構わない。さらに、リブ１３４、脆弱部２３３ａをより確実に破断（折損）できる
ように、例えば、リブ１３４、脆弱部２３３ａの根本付近やその中間部に切り欠きを形成
してもよい。
【００９２】
また、上述の実施形態において、封印シール１２０として、ＩＣタグ１２２及びアンテ
ナ線１２３を備えたＩＣタグ封印シールを例示したが、これに代えて、ＩＣタグ１２２及
びアンテナ線１２３を備えない封印シールを用いてもよい。
【００９３】
なお、以上においては、本発明に係るケース封印構造をパチンコ機の主基板ケース（主
制御基板ユニット）に適用した例を説明したが、これに限定されるものではなく、演出制
御基板ユニットに構成される基板ケースや、払出制御基板ユニットに構成される基板ケー
スなどに適用してもよく、更には、パチンコ機以外の遊技機、例えばスロットマシンの制
御基板ケースや、その他の種々の基板ケースにも適用することができる。
【符号の説明】
【００９４】
ＰＭ    パチンコ機（遊技機）
１    外枠
２    前枠
１０    遊技盤
３２    主制御基板（制御基板）
４０    主制御基板ユニット
４５    主基板ケース（基板ケース）
５０    ケース本体部材（第１ケース部材、一方のケース部材）
６０    ケース蓋部材（第２ケース部材）
１００  ケース封印部（第１実施形態）
１０１  封印空間
１１０  本体側封印部
１１１  台座部
１１３  シール貼着面
１１４  スリット
１１５  退避溝（退避部）
１１６  リブ破壊孔
１１７  ガイド溝
１１９  リブ
１２０  封印シール
１３０  保護カバー部材
１３２  ガイド壁
１３３  破断突起（シール破断部）
１３４  リブ
１３９  リブ破壊孔
１４０  蓋側封印部
２００  ケース封印部（第２実施形態）
２０１  封印空間
２１０  本体側封印部
２１１  台座部
２１４  スリット
２３０  保護カバー部材
２３３  破断突起（シール破断部）
２４０  蓋側封印部
【図１】
2014208034.tif 000003
【図２】
2014208034.tif 000004
【図３】
2014208034.tif 000005
【図４】
2014208034.tif 000006
【図５】
2014208034.tif 000007
【図６】
2014208034.tif 000008
【図７】
2014208034.tif 000009
【図８】
2014208034.tif 000010
【図９】
2014208034.tif 000011
【図１０】
2014208034.tif 000012
【図１１】
2014208034.tif 000013
【図１２】
2014208034.tif 000014
【図１３】
2014208034.tif 000015
【図１４】
2014208034.tif 000016
【図１５】
2014208034.tif 000017
【図１６】
2014208034.tif 000018
【図１７】
2014208034.tif 000019
【図１８】
2014208034.tif 000020
【図１９】
2014208034.tif 000021
【図２０】
2014208034.tif 000022
【図２１】
2014208034.tif 000023
【図２２】
2014208034.tif 000024
【図２３】
2014208034.tif 000025
【図２４】
2014208034.tif 000026
【図２５】
2014208034.tif 000027
【図２６】
2014208034.tif 000028